(57)【要約】【課題】ハウジングの外面に漏れ出した潤滑油が作業者の手に付着することを抑制することができる電動工具を提供する。【解決手段】駆動部２と、駆動部２の前方に配置され、駆動部２からの駆動力を伝達して工具を駆動する駆動力伝達部３と、駆動部伝達部３を前側部に収容するハウジング１と、を備え、ハウジング１が、合わせ面１３Ａ，１４Ａで結合される二つの分割体からなる左右二つ割り構造に構成され、ハウジング１は、合わせ面を含む前側部の所定領域がカバー１５によって覆われており、カバー１５の内面とハウジング１の外面との間には、合わせ面１３Ａ，１４Ａからハウジング１の外面に漏れ出した潤滑油の移動を規制するシール部材１９を設けた。【選択図】図３
2019005837.tif 000002
【特許請求の範囲】
【請求項１】
駆動部と、該駆動部の前方に配置され、該駆動部からの駆動力を伝達して工具を駆動する駆動力伝達部と、該駆動力伝達部を前側部に収容するハウジングと、を備え、該ハウジングが、合わせ面で結合される二つの分割体からなる左右二つ割り構造に構成されている電動工具であって、
前記ハウジングは、前記合わせ面を含む前記前側部の所定領域がカバーによって覆われており、
該カバーの内面と前記ハウジングの外面との間には、前記合わせ面から前記ハウジングの外面に漏れ出した潤滑油の移動を規制するためのシール部材が設けられていることを特徴とする電動工具。
【請求項２】
前記シール部材は、前記カバーの前端側と後端側の２箇所に設けられており、前後方向において、２箇所の前記シール部材の間に前記二つの分割体を連結するためのねじが配置されていることを特徴とする請求項１に記載の電動工具。
【請求項３】
前記ハウジングには、前記シール部材を係止するための係止溝が形成されていることを特徴とする請求項１又は２に記載の電動工具。
【請求項４】
前記シール部材は、リング状に形成されていることを特徴とする請求項１〜３のうちのいずれか１項に記載の電動工具。
【発明の詳細な説明】
【技術分野】
【０００１】
本発明は、駆動部と、該駆動部の前方に配置され、該駆動部からの駆動力を伝達して工具を駆動する駆動力伝達部と、該駆動力伝達部を前側部に収容するハウジングと、を備え、該ハウジングが、合わせ面で結合される二つの分割体からなる左右二つ割り構造に構成されている電動工具に関する。
【背景技術】
【０００２】
かかる電動工具において、二つ割り構造のハウジング内に収容される駆動力伝達部には、摩擦部分における発熱や摩耗を防ぐためにグリス等の潤滑油が注油されている。そして、電動工具の使用中に発生する熱により潤滑油が温められて流動し、その潤滑油がハウジングを構成する二つの分割体の合わせ面から外部に漏れ出すことがある。これを防止するために、例えば特許文献１では、二つ割りの分割体と一体形成された一対のリブが分割体の内部で突き合わされて潤滑油の漏れ防止用の内壁を構成し、この内壁と二つ割りの分割体の合わせ面に形成した凹凸状の嵌合部とで潤滑油の漏れ防止を行っている。
【０００３】
また、特許文献２では、二つ割りの分割体の合わせ面に形成した階段状の嵌合部により潤滑油の漏れ防止を行っている。
【０００４】
また、特許文献３では、駆動力伝達部から漏れ出た潤滑油が二つ割りの分割体の合わせ面から外部に漏れ出すことがないようにハウジング内に潤滑油を吸収する板状の吸収部材を駆動力伝達部の上方及び下方にそれぞれ配置している。
【先行技術文献】
【特許文献】
【０００５】
【特許文献１】実開平５−２０８７９号公報
【特許文献２】特開平８−１２６９７７号公報
【特許文献３】特開平１０−６２４９号公報
【発明の概要】
【発明が解決しようとする課題】
【０００６】
上記特許文献１の構成によれば、内壁を構成する一対のリブの合わせ面及び二つ割りの分割体の合わせ面を隙間のない状態で合わせることができない。そのため、一対のリブの合わせ面から漏れ出た潤滑油が、二つ割りの分割体の合わせ面から外部へ漏れ出てしまうことがある。また、上記特許文献２の構成によれば、二つ割りの分割体の合わせ面に階段状の嵌合部を形成しているものの、この場合も、二つ割りの分割体の合わせ面を隙間のない状態にすることができないため、二つ割りの分割体の合わせ面の隙間から外部に潤滑油が漏れ出してしまうことがある。また、上記特許文献３の構成によれば、板状の吸収部材を駆動力伝達部の上下にのみ配置しているため、駆動力伝達部の潤滑油全てを吸収部材で確実に吸収することができず、この場合も二つ割りの分割体の合わせ面から外部に潤滑油が漏れ出してしまうことがある。要するに、上記３つの特許文献による手段では、二つ割りの分割体の合わせ面から外部に潤滑油が漏れ出してしまうことを十分に解消することができない。その結果、ハウジングの外面に漏れ出した潤滑油が電動工具を持つ作業者の手に付着してしまうことがあり、早期改善が要望されている。
【０００７】
そこで、本発明は、かかる事情に鑑みてなされたもので、ハウジングの外面に漏れ出した潤滑油が作業者の手に付着することを抑制することができる電動工具を提供することを課題とする。
【課題を解決するための手段】
【０００８】
本発明に係る電動工具は、駆動部と、該駆動部の前方に配置され、該駆動部からの駆動力を伝達して工具を駆動する駆動力伝達部と、該駆動力伝達部を前側部に収容するハウジングと、を備え、該ハウジングが、合わせ面で結合される二つの分割体からなる左右二つ割り構造に構成されている電動工具であって、前記ハウジングは、前記合わせ面を含む前記前側部の所定領域がカバーによって覆われており、該カバーの内面と前記ハウジングの外面との間には、前記合わせ面から前記ハウジングの外面に漏れ出した潤滑油の移動を規制するためのシール部材が設けられていることを特徴とする。
【０００９】
本発明によれば、二つの分割体の合わせ面から外部に潤滑油が漏れ出すと、ハウジングの外面は潤滑油で汚されるものの、合わせ面を含む前側部の所定領域がカバーによって覆われているので、カバーを持って作業している作業者の持ち手に漏れ出した潤滑油が付着することを抑制することができる。また、前側部の所定領域を覆うカバーの内面とハウジングの外面との間に、合わせ面からハウジングの外面に漏れ出した潤滑油の移動を規制するためのシール部材が設けられているので、前記のように合わせ面から漏れ出した潤滑油をシール部材で堰き止めることができる。
【００１０】
また、本発明に係る電動工具は、前記シール部材が、前記カバーの前端側と後端側の２箇所に設けられており、前後方向において、２箇所の前記シール部材の間に前記二つの分割体を連結するためのねじが配置されていることが好ましい。
【００１１】
かかる構成によれば、シール部材が、カバーの前端側と後端側の２箇所に設けられているので、シール部材の間に漏れ出した潤滑油を溜めておくことができる。また、シール部材の間に二つの分割体を連結するためのねじが配置されているので、二つの分割体を連結するねじの締め付けによって生じる二つの分割体の変形や残留応力によって、二つの分割体の合わせ面において隙間が発生し易いねじの近傍の合わせ面から漏れる潤滑油を確実にシール部材の間に溜めておくことができる。これにより、シール部材の前後、つまりカバーの外部に潤滑油が漏れ出すことを抑制することができるので、作業者の持ち手や作業を行っている周辺の物品に漏れ出した潤滑油が付着することを効果的に防止できる。しかも、ねじ及び漏れ出た潤滑油がカバーで覆われることで外部に露出されないため、美観の低下も抑制できる。
【００１２】
また、本発明に係る電動工具は、前記ハウジングには、前記シール部材を係止するための係止溝が形成されていることが好ましい。
【００１３】
かかる構成によれば、ハウジングに形成した係止溝にシール部材を係止するだけでシール部材の装着を迅速に行うことができる。また、シール部材が係止溝に係止された状態でカバーを装着するだけで組み立てが完了するので、組み立て作業性においても優れる。
【００１４】
また、本発明に係る電動工具は、前記シール部材が、リング状に形成されていてもよい。
【００１５】
かかる構成によれば、リング状に形成されたシール部材によりハウジングを周方向全域に亘ってシールすることができる。
【発明の効果】
【００１６】
以上の如く、本発明によれば、合わせ面を含む前側部の所定領域を覆うカバーを備えるとともに、カバーの内面とハウジングの外面との間にシール部材を備えることによって、ハウジングの外面に漏れ出した潤滑油が作業者の手に付着することを抑制することができる電動工具を提供することができる。
【図面の簡単な説明】
【００１７】
【図１】本発明の第１実施形態に係る電動工具の側面図である。
【図２】同電動工具の正面図である。
【図３】同電動工具の要部の縦断側面図である。
【図４】図１におけるＩＶ−ＩＶ線断面図である。
【図５】同電動工具に装着したカバーの斜視図である。
【図６】本発明の第２実施形態に係る電動工具の側面図である。
【図７】図６におけるＶＩＩ−ＶＩＩ線断面図である。
【図８】同電動工具に装着したカバーの斜視図である。
【図９】本発明の第３実施形態に係る電動工具の側面図である。
【図１０】図９におけるＸ−Ｘ線断面図である。
【図１１】同電動工具の要部の縦断側面図である。
【図１２】同電動工具に装着したカバーの斜視図である。
【図１３】本発明の第４実施形態に係る電動工具の側面図である。
【図１４】同電動工具の正面図である。
【図１５】同電動工具の要部の縦断側面図である。
【図１６】図１３におけるＸＶＩ−ＸＶＩ線断側面図である。
【発明を実施するための形態】
【００１８】
以下、本発明に係る電動工具の実施形態について、図面に基づいて説明する。尚、この実施形態では、バッテリ式（バッテリパックは省略している）の電動工具を例に挙げて説明するが、商用交流電源で駆動可能な電動工具であってもよいし、バッテリ及び商用交流電源のいずれでも駆動可能な電動工具であってもよい。また、本実施形態に係る電動工具として、インパクトドライバを例示しているが、各種の電動工具、例えばドリル、スクリュードライバ、ハンマドリル等にも適用することができる。尚、図１において、紙面方向手前側を右側とし、紙面方向奥側を左側とし、紙面の左側を後側とし、紙面の右側を前側とし、紙面の上側を上側とし、紙面の下側を下側として、以下説明する。
【００１９】
＜第1実施形態＞
図１〜図４に基づいて第１実施形態を説明する。まず、図３に示すように、ハウジング１の後側部に駆動部であるモータ２が収容され、モータ２の前方に配置され、ハウジング１の前側部に駆動力伝達部３が収容されている。ハウジング１は、図１に示すように、モータ２及び駆動力伝達部３が収容される前後方向に長い本体部と、本体部の前後方向中央部の下端から下方へ延出されたハンドル部と、を備えている。ハンドル部には、トリガ４を備えている。
【００２０】
駆動力伝達部３は、モータ２からの駆動力を伝達して図示していない工具を駆動する。また、駆動力伝達部３は、モータ２のモータ出力軸２Ａに連結した遊星歯車機構で構成された減速機構８と、減速機構８で減速されたモータ２の回転力が伝達されるスピンドル９と、スピンドル９に連結されたインパクト機構１０と、を備えている。また、この駆動力伝達部３には、摩擦部分における発熱や摩耗を防ぐためにグリス等の潤滑油が注油されている。
【００２１】
インパクト機構１０は、前端に位置するアンビル１１と、ハンマ１２とを有しており、ねじ締め作業において、工具が取り付けられるアンビル１１に一定以上の外部トルク（ねじ締め抵抗）が付加されると、ハンマ１２がアンビル１１に対して回転方向に打撃され、これにより強固なねじ締めを行うことができる。
【００２２】
ハウジング１は、合成樹脂で構成され、図４に示すように、左右方向に分割可能な二つの分割体１３，１４からなる二つ割り構造に構成されている。また、左半分を構成する分割体１３と右半分を構成する分割体１４との合わせ面１３Ａ，１４Ａのうちの一方の合わせ面１３Ａに凸部１３Ｂが形成され、該凸部１３Ｂに係合する凹部１４Ｂが他方の合わせ面１４Ａに形成されている。また、図１及び図３に示すように、二つの分割体１３，１４は、多数（ここでは１０個）のねじＢ１〜Ｂ１０（図１及び図３参照）で互いに連結固定されている。これらのねじＢ１〜Ｂ１０を、一方（右側）の分割体１４に形成されている貫通孔（図示せず）に螺子部を通してから他方の分割体１３に備えているボス部に形成の螺子部にねじ込むことによって、二つの分割体１３，１４が固定される。
【００２３】
電動工具の使用中に発生する熱により前記駆動力伝達部３に注油されている潤滑油が温められて流動し、この流動する潤滑油が、ハウジング１を構成する二つの分割体１３，１４の合わせ面１３Ａ，１４Ａからハウジング１の外面に漏れ出すことがある。この対策として、ハウジング１は、合わせ面１３Ａ，１４Ａを含む前側部の所定領域がカバー１５によって覆われている。
【００２４】
カバー１５は、プラスチック（又は金属でもよい）からなり、ハウジング１の前側部の外面に沿う形状に構成され、図５に示すように、前端にアンビル１１の挿通を許容するための貫通孔１５Ｋが形成され、略円筒状に構成された前側部１５Ａと、前側部１５Ａの後端から一回り径が大きくなるとともに下方及び後方が開放された略円弧状の後側部１５Ｂと、を備えている。尚、ハウジング１の前側部とは、工具が取り付けられるアンビル１１からハウジング１の前後方向半分の位置よりも少し前側までの部分を言う。
【００２５】
前側部１５Ａは、貫通孔１５Ｋを備える円筒状の第１前側部１５ａと、この第１前側部１５ａの後端から後方側に向かうほど径が大きくなるテーパー形状の第２前側部１５ｂと、第２前側部１５ｂの後端と後側部１５Ｂとを連結する第１前側部１５ａよりも外径が大きく、かつ、後側部１５Ｂよりも外径が小さな円筒状の第３前側部１５ｃと、を備えている。この前側部１５Ａが筒状に構成されているので、上端側の合わせ面１３Ａ，１４Ａと下端側の合わせ面１３Ａ，１４Ａの両方を覆うことができる（図３に、上端側の一方の合わせ面１３Ａ及び下端側の一方の合わせ面１３Ａを図示している）。
【００２６】
図１及び図５に示すように、後側部１５Ｂは、ハウジング１の前側部の上部及び左右側部を覆う円弧状の本体部１５ｄと、本体部１５ｄの下端から下方に垂下するスカート部１５ｅと、を備えている。本体部１５ｄの左右側部の後端縁には、ハウジング１の前方側へ突出する凸部１６を回避するための切欠き１５Ｈが形成されている。また、スカート部１５ｅの右側部に、ねじＢ３の挿通を許容するための開口１５ｆが形成され、その開口１５ｆには、図４に示すように、内側に突出する突出部２９を備えている。突出部２９は、開口１５ｆから内側に延びる筒状部２９Ａと、筒状部２９Ａの内側端を閉じるとともにねじＢ３の挿通を許容する貫通孔２９ｂが形成された板部２９Ｂと、を備えている。また、一方（右側）の分割体１４の下端部の左右方向内方側部分には、下方に延びる垂直壁部２２が形成され、この垂直壁部２２の外面に突出部２９の板部２９Ｂの内側端が当接するようになっている。この垂直壁部２２には、ねじＢ３が挿通する貫通孔２２Ａが形成される。他方（左側）の分割体１３の下端部の左右方向外方側部分には、下方に延びる垂直壁部２３が形成されている。この垂直壁部２３には、前記垂直壁部２２の貫通孔２２Ａに挿通されたねじＢ３が螺合する螺子部１７Ｎが形成されたボス部１７が貫通孔２２Ａに向って突出形成されている。カバー１５を電動工具の前端から後ろ向きに移動させることによって、ハウジング１の前側部における合わせ面１３Ａ，１４Ａを含む領域がカバー１５で覆うことができる。この状態でねじＢ３をカバー１５の開口１５ｆ、突出部２９の板部２９Ｂの貫通孔２９ｂ及び右側の分割体１４の貫通孔２２Ａに通したのち、左側の分割体１３のボス部１７の螺子部１７Ｎに螺合することによって、二つの分割体１３，１４及びカバー１５を一挙に固定することができる（図４参照）。
【００２７】
また、図３に示すように、カバー１５の内面１５Ｕとハウジング１の外面１Ａとの間には、合わせ面１３Ａ，１４Ａからハウジング１の外面に漏れ出した潤滑油の移動を規制するためのシール部材１９を有するシール機構１８を設けている。このシール機構１８は、カバー１５の前端部と後端部の２箇所に設けられている。前記シール機構１８は、可撓性を有する前記シール部材１９と、シール部材１９が係止するようにハウジング１の前側部の前後方向の２箇所に形成した係止溝１Ｍ，１Ｍと、を備えている。これら２箇所に設けられたシール機構１８，１８の間に、二つの分割体１３，１４を連結するためのねじＢ１，Ｂ２が配置されている。
【００２８】
係止溝１Ｍ，１Ｍは、ハウジング１の筒状に形成された前側部の全周に亘るように形成され、シール部材１９は、係止溝１Ｍ，１Ｍに係止するようにリング状（環状）に形成されている。このように、リング状に形成されたシール部材１９によりハウジング１の前側部を周方向全域に亘ってシールすることができる。ここでは、シール部材１９として弾性体であるＯリングを用いているが、弾性及びシール性能を有するものであれば、Ｏリング以外のシール部材を用いることもできる。
【００２９】
このように合わせ面１３Ａ，１４Ａを含む前側部の所定領域がカバー１５によって覆われているので、二つの分割体１３，１４の合わせ面１３Ａ，１４Ａから外部に潤滑油が漏れ出しても、ハウジング１の外面１Ａは潤滑油で汚されるものの、カバー１５を持って作業している作業者の持ち手に漏れ出した潤滑油が付着することを抑制することができる。また、前側部の所定領域を覆うカバー１５の内面とハウジング１の外面との間に、合わせ面１３Ａ，１４Ａからハジング１の外面に漏れ出した潤滑油の移動を規制するためのシール部材１９が設けられているので、合わせ面１３Ａ，１４Ａから漏れ出した潤滑油をシール部材１９で堰き止めることができる。しかも、シール部材１９が、カバーの前端側と後端側の２箇所に設けられているので、２箇所のシール部材１９，１９の間に漏れ出した潤滑油を溜めておくことができる。
【００３０】
また、２箇所のシール部材１９，１９の間に二つの分割体１３，１４を連結するためのねじＢ１，Ｂ２が配置されているので、二つの分割体１３，１４を連結するねじＢ１，Ｂ２の締め付けによって生じる二つの分割体１３，１４の変形や残留応力によって、二つの分割体１３，１４の合わせ面１３Ａ，１４Ａにおいて隙間が発生し易いねじＢ１，Ｂ２の近傍の合わせ面から漏れる潤滑油をシール部材１９，１９の間に溜めておくことができる。これにより、シール部材１９，１９の前後、つまりカバー１５の外部に潤滑油が漏れ出すことを抑制することができるので、作業者の持ち手や作業を行っている周辺の物品に漏れ出した潤滑油が付着することを効果的に防止できる。しかも、ねじＢ１，Ｂ２及び漏れ出た潤滑油がカバー１５で覆われることで外部に露出されないため、美観の低下も抑制できる。また、ハウジング１に形成した係止溝１Ｍ，１Ｍにシール部材１９を係止するだけでシール部材１９の装着を迅速に行うことができる。また、シール部材１９が係止溝１Ｍ，１Ｍに係止された状態でカバー１５を装着するだけで組み立てが完了するので、組み立て作業性においても優れる。
【００３１】
＜第２実施形態＞
図６〜図８に基づいて第２実施形態を第１実施形態と異なる部分を主に説明する。尚、説明しなかった部分は、第１実施形態と同一である。
【００３２】
カバー１５は、プラスチック（又は金属でもよい）からなり、ハウジング１の前側部の外面に沿う形状に構成され、図８に示すように、前端にアンビル１１の挿通を許容するための貫通孔１５Ｋが形成され、略円筒状に構成された前側部１５Ａと、前側部１５Ａの後端から一回り径が大きくなるとともに下方及び後方が開放された略円弧状の後側部１５Ｂと、を備えている。
【００３３】
そして、図１のカバー１５と異なるのは、図６〜図８に示すように、後側部１５Ｂの左右両側部のそれぞれに、左右方向外側に突出する後端が開放された略直方体形状の突条２０，２０が前後方向略全域に亘って形成されている。これら突条２０，２０の内側のそれぞれには、溝２０Ｍが形成されている。これら溝２０Ｍ，２０Ｍに係止する略直方体形状の突起１Ｔ，１Ｔがハウジング１の左右側部に一体形成されている。従って、カバー１５を、電動工具の前端から後ろ向きに移動させて電動工具に装着した時に、突起１Ｔ，１Ｔに突条２０，２０の溝２０Ｍ，２０Ｍが係止することで、ハウジング１に対してカバー１５が回転することがないようにしている。
【００３４】
＜第３実施形態＞
図９〜図１２に基づいて第３実施形態を第１実施形態と異なる部分を主に説明する。尚、説明しなかった部分は、第１実施形態と同一である。また、図９では、図１の右側面の電動工具に対して左側面の電動工具を示している。
【００３５】
カバー１５は、プラスチック（又は金属でもよい）からなり、ハウジング１の前側部の外面に沿う形状に構成され、図１２に示すように、前端にアンビル１１の挿通を許容するための貫通孔１５Ｋが形成され、略円筒状に構成された前側部１５Ａと、前側部１５Ａの後端から一回り径が大きくなるとともに後側ほど径が大きくなるテーパー形状に構成された中間部１５Ｃと、中間部１５Ｃの後端から一回り径が大きくなるとともに後端まで同一径に構成された環状の後側部１５Ｂと、を備えている。
【００３６】
そして、後側部１５Ｂの後端部における下端部に、後方に延びる略矩形で板状の舌片２１を一体形成している。この舌片２１にねじＢ３が挿通可能な貫通孔２１Ａが形成されている。これに対して、図１０に示すように、一方（右側）の分割体１４の下端部の左右方向内方側部分に、下方に延びる垂直壁部２２が形成され、その垂直壁部２２にねじＢ３が挿通する貫通孔２２Ａが形成される一方、他方（左側）の分割体１３の下端部の左右方向外方側部分に、下方に延びる垂直壁部２３が形成されている。その垂直壁部２３には、前記垂直壁部２２の貫通孔２２Ａに挿通されたねじＢ３が螺合する螺子孔２４Ｎが形成されたボス部２４が貫通孔２２Ａに向って突出形成されている。そして、ボス部２４の垂直壁部側端面２４Ｔと一方（右側）の分割体１４の垂直壁部２２のボス部側端面２２Ｔとの間に、前記舌片２１が入り込む隙間２５が前方に開口して形成されている。従って、カバー１５を、電動工具の前端から後ろ向きに移動させてハウジング１に装着することによって、ボス部２４の垂直壁部側端面２４Ｔと一方（右側）の分割体１４の垂直壁部２２のボス部側端面２２Ｔとの間の隙間２５に、カバー１５の舌片２１が入り込んだ状態になる。この状態でねじＢ３を、一方（右側）の分割体１４の垂直壁部２２の貫通孔２２Ａ、カバー１５の舌片２１の貫通孔２１Ａに挿通したのち、ボス部２４の螺子孔２４Ｎに螺合させることによって、カバー１５の舌片２１を一方（右側）の分割体１４の垂直壁部２２と他方（左側）の分割体１３のボス部２４との間に挟み込んだ状態で固定することで、カバー１５をハウジング１に固定することができる。
【００３７】
＜第４実施形態＞
図１３〜図１６に基づいて第４実施形態を第１実施形態と異なる部分を主に説明する。説明しなかった部分は、第１実施形態と同様である。尚、図１３は、図１が電動工具の右側面を示しているのに対して左側面を示している。また、図１３に示すように、ハウジング１の外面の形状が、図１とものとは異なっている。更に、図１５においては、ねじＢ１，Ｂ２による連結箇所等の一部の図示を省略している。
【００３８】
カバー１５は、図１３及び図１５に示すように、ハウジング１の前側部の外面のうちの後方側部分を覆うカバー本体２６と、ハウジング１の前側部の外面のうちの前方側部分を覆うとともにカバー本体２６の前端のフランジ部２６Ａに当接してカバー本体２６の前方への移動を防止するための係止部材２７と、を備えている。係止部材２７は、ゴム等の弾性体から構成され、後方へ向かうほど大きな径となるテーパー形状の係止本体２７Ａと、係止本体２７Ａの前端から内側に延びるとともにアンビル１１の挿通を許容するための貫通孔２７ｂが形成された第１フランジ部２７Ｂと、係止本体２７Ａの後端から内側に延びるとともに前記貫通孔２７ｂよりも大きな貫通孔２７ｃが形成された第２フランジ部２７Ｃと、を備えている。カバー本体２６は、プラスチック（又は金属でもよい）から構成され、後方へ向かうほど大きな径となる略テーパー形状の本体部２６Ｂと、本体部２６Ｂの前端から径方向内側に延びる先端を構成するフランジ部２６Ａと、を備えている。
【００３９】
カバー１５に対してハウジング１を構成する二つ割りの分割体１３，１４の前端部に、周方向全域に亘って凹部２８が形成されている。この凹部２８は、カバー本体２６のフランジ部２６Ａが嵌合するための第１凹部２８Ａと、この第１凹部２８Ａに前後方向前側に連なって形成され、かつ、第１凹部２８Ａよりも径方向内側に深く形成された第２凹部２８Ｂと、を備えている。第２凹部２８Ｂの径方向の深さは、第２フランジ部２７Ｃが入り込んで係止する深さに設定されている。このように構成されたカバー１５をハウジング１に装着する場合には、まず、カバー本体２６を電動工具の前端から後ろ向きに移動させてハウジング１に装着させる。このとき、カバー本体２６のフランジ部２６Ａが第１凹部２８Ａに嵌合される。続いて係止部材２７を弾性変形させながら電動工具の前端から後ろ向きに移動させてハウジング１に装着させる。このとき、ハウジング１の前端に形成されている切欠き部１Ｋに係止部材２７の第１フランジ部２７Ｂが係止し、かつ、第２凹部２８Ｂに係止部材２７の第２フランジ部２７Ｃが係止する。この係止によりカバー本体２６の前方への移動（抜け）が防止される。
【００４０】
また、図１６に示すように、ハウジング１を構成する分割体１３，１４は、左右壁部１３ａ，１３ｂが、分割体１３，１４の円弧状の上側壁部１３ｃ及び下側壁部１３ｄの曲率半径よりも小さな曲率半径を有する円弧状に湾曲形成されている。すなわち、左右壁部１３ａ，１３ｂが凹んで形成されている。そして、左右壁部１３ａ，１３ｂの上端と上側壁部１３ｃの左右端とが内側に凹んだ第１湾曲部１３ｅ，１３ｆで連結され、左右壁部１３ａ，１３ｂの下端と下側壁部１３ｄの左右端とが内側に凹んだ第２湾曲部１３ｇ，１３ｈで連結されている。カバー本体２６は、この分割体１３，１４の左右壁部１３ａ，１３ｂに係合する左右一対の係合部３０，３０を左右壁部に備えている。係合部３０，３０は、カバー本体２６の円弧状の上側壁部２６ａ及び下側壁部２６ｂの曲率半径よりも小さな曲率半径を有する円弧状に湾曲形成された円弧部３０Ａ，３０Ａと、円弧部３０Ａ，３０Ａの上端とカバー本体２６の上側壁部２６ａの左右端とを連結すべく内側に凹んだ第１湾曲部３０Ｂ，３０Ｂと、円弧部３０Ａ，３０Ａの下端とカバー本体２６の下側壁部２６ｂの左右端とを連結すべく内側に凹んだ第２湾曲部３０Ｃ，３０Ｃと、を備えている。すなわち、係合部３０，３０は凹んで形成されている。カバー１５をハウジング１に装着した状態において、分割体１３，１４の左右壁部１３ａ，１３ｂにカバー１５の係合部３０，３０が係合することによって、ハウジング１に対してカバー１５が回転することがないようにしている。
【００４１】
また、図１５に示すように、カバー１５の後端部の内面１５Ｕとこれに対応するハウジング１の外面１Ａとの間をシールするためのシール部材１９を有するシール機構１８を備えている。シール機構１８は、可撓性を有するシール部材１９と、シール部材１９が係止するようにハウジング１の前側部の後端部に形成した係止溝１Ｍと、を備えている。シール機構１８を備えることによって、前記のように漏れ出した潤滑油がカバー１５よりも後方に移動しないようにシール部材１９で堰き止めることができる。
【００４２】
シール部材１９としては、前述したように弾性体であるＯリングを用いているが、弾性及びシール性能を有するものであれば、Ｏリング以外のシール部材を用いることもできる。
【００４３】
尚、本発明に係る電動工具は、上記実施形態に限定されるものではなく、本発明の要旨を逸脱しない範囲で種々の変更が可能である。
【００４４】
前記実施形態では、合わせ面１３Ａ，１４Ａを含む前側部の所定領域を覆うカバー１５をハウジング１に備えたが、合わせ面１３Ａ，１４Ａを含む後側部の所定領域を覆うカバー、あるいは、合わせ面１３Ａ，１４Ａを含む前側部と後側部の所定領域を覆うカバーをハウジングに備えて実施してもよい。
【００４５】
また、前記実施形態では、シール部材１９をハウジング１の前後方向１箇所又は２箇所に設けたが、ハウジング１の３箇所以上に設けてもよい。また、シール部材１９をハウジング１に設けたが、カバー１５に設けてもよい。
【００４６】
また、前記実施形態では、シール部材１９として断面形状が円形のものを用いたが、楕円形、卵形、長円形等どのような形状のものであってもよい。また、シール部材１９をリング状のものから構成したが、リングの一部が切欠かれたＣ字形状やＵ字形状のシール部材であってもよい。
【符号の説明】
【００４７】
１…ハウジング、１Ａ…外面、１Ｋ…切欠き部、１Ｍ…係止溝、１Ｔ…突起、２…モータ（駆動部）、２Ａ…モータ出力軸、３…駆動力伝達部、４…トリガ、８…減速機構、９…スピンドル、１０…インパクト機構、１１…アンビル、１２…ハンマ、１３，１４…分割体、１３Ａ，１４Ａ…合わせ面、１３Ｂ…凸部、１４Ｂ…凹部、１３ａ，１３ｂ…左右壁部、１３ｃ，１３ｄ…上下壁部、１３ｅ，１３ｆ…第１湾曲部、１３ｇ，１３ｈ…第２湾曲部、１４Ｋ…貫通孔、１５…カバー、１５Ａ…前側部、１５Ｂ…後側部、１５Ｃ…中間部、１５Ｋ…貫通孔、１５Ｕ…内面、１５ａ…第１前側部、１５ｂ…第２前側部、１５ｃ…第３前側部、１５ｄ…本体部、１５ｅ…スカート部、１５ｆ…開口、１６…凸部、１７…ボス部、１７Ｎ…螺子部、１８…シール機構、１９…シール部材、２０…突条、２０Ｍ…溝、２１…舌片、２１Ａ…貫通孔、２２…垂直壁部、２２Ａ…貫通孔、２２Ｔ…ボス部側端面、２３…垂直壁部、２４…ボス部、２４Ｎ…螺子孔、２４Ｔ…垂直壁部側端面、２５…隙間、２６…カバー本体、２６Ａ…フランジ部、２６Ｂ…本体部、２６ａ，２６ｂ…上下壁部、２６ｆ…前面、２７…係止部材、２７Ａ…係止本体、２７Ｂ…第１フランジ部、２７Ｃ…第２フランジ部、２７ｂ，２７ｃ…貫通孔、２８…凹部、２８Ａ…第１凹部、２８Ｂ…第２凹部、２９…突出部、２９Ａ…筒状部、２９Ｂ…板部、２９ｂ…貫通孔、３０…係合部、３０Ａ…円弧部、３０Ｂ…第１湾曲部、３０Ｃ…第２湾曲部、Ｂ１〜Ｂ１０…ねじ
【図１】
2019005837.tif 000003
【図２】
2019005837.tif 000004
【図３】
2019005837.tif 000005
【図４】
2019005837.tif 000006
【図５】
2019005837.tif 000007
【図６】
2019005837.tif 000008
【図７】
2019005837.tif 000009
【図８】
2019005837.tif 000010
【図９】
2019005837.tif 000011
【図１０】
2019005837.tif 000012
【図１１】
2019005837.tif 000013
【図１２】
2019005837.tif 000014
【図１３】
2019005837.tif 000015
【図１４】
2019005837.tif 000016
【図１５】
2019005837.tif 000017
【図１６】
2019005837.tif 000018